(57)【要約】【課題】ロール紙の給送する方向又は巻戻す方向であっても、幅ズレを防止できるロール状媒体給送装置を提供する。【解決手段】ロール状に巻回されたロール状媒体３と、装填されるロール状媒体３を保持し、回転駆動を与えることにより、ロール状媒体３を給送及び巻戻し可能な給送ローラ４ａと、ロール状媒体３の巻幅方向への移動を規制する幅整列ガイド部材５を備え、幅整列ガイド部材５はロール状媒体３の幅方向への移動に追従して移動可能とする。【選択図】図１
2017218285.tif 000002
【特許請求の範囲】
【請求項１】
ロール状に巻回されたロール状媒体と、
前記ロール状媒体を保持するとともに、前記ロール状媒体の外周部分に回転駆動を与えることにより給送及び巻戻すロール状媒体保持部を備えたロール状媒体給送装置において、
前記ロール状媒体の幅方向への移動を規制する幅整列ガイド部材を備え、
前記幅整列ガイド部材は前記ロール状媒体の幅方向への移動に追従して移動可能としたことを特徴とするロール状媒体給送装置。
【請求項２】
前記幅整列ガイド部材は、ロール状媒体の側面を規制する左右腕部と、前記左右腕部を支持する支持部からなり、
前記左右腕部に設けた摺動孔を貫通する取付シャフトにより、装置フレームに固定されることを特徴とする請求項１記載のロール状媒体給送装置。
【請求項３】
ロール状に巻回されたロール状媒体と、
前記ロール状媒体を保持するとともに、前記ロール状媒体の外周部分に回転駆動を与えることにより給送及び巻戻すロール状媒体保持部を備えたロール状媒体給送装置において、
前記ロール状媒体の幅方向への移動を規制する幅整列ガイド部材を備え、
前記幅整列ガイド部材は、前記ロール状媒体の幅方向への移動に追従して移動可能とし、かつ、前記幅整列ガイド部材における前記ロール状媒体の幅方向の中央を中心にして水平方向に揺動可能としたことを特徴とするロール状媒体給送装置。
【請求項４】
前記幅整列ガイド部材は、前記ロール状媒体の一方の側面を規制する右腕部と、前記右腕部を支持する右支持部からなる右幅整列ガイドと、
前記ロール状媒体の他方の側面を規制する左腕部と、前記左腕部を支持する左支持部からなる左幅整列ガイドと、
前記右支持部及び前記左支持部を支持する支持ブラケットとからなり、
前記支持ブラケットは、装置フレームに固定されることを特徴とする請求項３記載のロール状媒体給送装置。
【請求項５】
前記支持ブラケットには前記ロール状媒体の幅方向に支点シャフトを有し、
前記支点シャフトの中央に設けた第１の支点用突起部を中心に、前記右幅整列ガイド及び前記左幅整列ガイドが前記水平方向に揺動することを特徴とする請求項４記載のロール状媒体給送装置。
【請求項６】
更に、前記支持ブラケットの下部中央に第２の支点用突起部を有し、
前記第１の支点用突起部及び前記第２の支点用突起部を中心に、前記右幅整列ガイド及び前記左幅整列ガイドが前記水平方向に揺動することを特徴とする請求項５記載のロール状媒体給送装置。
【請求項７】
ロール状に巻回されたロール状媒体と、
前記ロール状媒体を保持するとともに、前記ロール状媒体の外周部分に回転駆動を与えることにより給送及び巻戻すロール状媒体保持部を備えたロール状媒体給送装置において、
前記ロール状媒体の幅方向への移動を規制する幅整列ガイド部材を備え、
前記幅整列ガイド部材は、前記ロール状媒体の幅方向への移動に追従して移動可能とし、更に、幅整列ガイド部材は、前記ロール状媒体の巻芯方向に平行して延在する左右腕部を有し、前記左右腕部は前記ロール状媒体の幅方向において相互に内側に向けて付勢され、前記ロール状媒体の側面に当接することを特徴とするロール状媒体給送装置。
【請求項８】
前記幅整列ガイド部材は、前記ロール状媒体の一方の側面を規制する右腕部と、前記右腕部を支持する右支持部とからなる右幅整列ガイドと、
前記ロール状媒体の他方の側面を規制する左腕部と、前記左腕部を支持する左支持部とからなる左幅整列ガイドとからなり、
前記右腕部及び前記左腕部に設けた摺動孔を貫通する取付シャフトにより、装置フレームに固定されることを特徴とする請求項７記載のロール状媒体給送装置。
【請求項９】
前記右幅整列ガイド及び前記左幅整列ガイドを相互に内側に向けて付勢する付勢手段を有し、
前記付勢手段により前記左右腕部は前記ロール状媒体の幅方向において相互に内側に向けて付勢されること特徴とする請求項８記載のロール状媒体給送装置。
【請求項１０】
ロール状に巻回されたロール状媒体と、
前記ロール状媒体を保持するとともに、前記ロール状媒体の外周部分に回転駆動を与えることにより給送及び巻戻すロール状媒体保持部を備えたロール状媒体給送装置において、
前記ロール状媒体の幅方向への移動を規制する幅整列ガイド部材を備え、
前記幅整列ガイド部材は前記ロール状媒体の幅方向への移動に追従して移動可能とし、
前記幅整列ガイド部材における前記ロール状媒体の幅方向の中央を中心にして水平方向に揺動可能とし、
更に、前記幅整列ガイド部材は、前記ロール状媒体の巻芯方向に平行して延在する左右腕部を有し、前記左右腕部は前記ロール状媒体の幅方向において相互に内側に向けて付勢され、前記ロール状媒体の側面に当接することを特徴とするロール状媒体給送装置。
【請求項１１】
前記幅整列ガイド部材は、前記ロール状媒体の一方の側面を規制する右腕部と、前記右腕部を支持する右支持部からなる右幅整列ガイドと、
前記ロール状媒体の他方の側面を規制する左腕部と、前記左腕部を支持する左支持部からなる左幅整列ガイドと、
前記右支持部及び前記左支持部を支持する支持ブラケットとからなり、
前記支持ブラケットは、装置フレームに固定されることを特徴とする請求項１０記載のロール状媒体給送装置。
【請求項１２】
前記支持ブラケットには、前記ロール状媒体の幅方向の中央に垂直方向に支点シャフトを有し、
前記支点シャフトを中心に、前記右幅整列ガイド及び前記左幅整列ガイドが前記水平方向に揺動することを特徴とする請求項１１記載のロール状媒体給送装置。
【請求項１３】
前記右幅整列ガイド及び前記左幅整列ガイドが垂直に設けた円筒コロを介してそれぞれ水平方向に揺動可能としたことを特徴とする請求項１２記載のロール状媒体給送装置。
【請求項１４】
前記ロール状媒体は、前記ロール状媒体保持部の上に載置されており、
前記幅整列ガイド部材は巻回されたロール状媒体の巻回部分における巻戻しが始まる部分に対応するように設置されることを特徴とする請求項１乃至１３いずれか一記載のロール状媒体給送装置。
【発明の詳細な説明】
【技術分野】
【０００１】
本発明は、列車等の乗車券として発行する発券装置に用いられるロール状媒体給送装置に関する。
【背景技術】
【０００２】
従来から列車等の乗車券は、鉄道の駅に設置されている発券装置により発行する。その乗車券は、装填されているロール紙をロール状媒体給送装置により給送し、印刷処理を行った後、所定の長さに切断して発行される。このロール状媒体給送装置はロール紙を印刷部へ向けて給送する動作及び所定量巻戻す動作を行う。
【０００３】
このようなロール状媒体給送装置としてのロール紙給送部は、図２１に示すようなものがある。図２１は従来のロール紙給送部を示す説明図である。ロール紙給送部１０１は支持フレーム１０２を構成する壁面の内側にロール紙１０３を装填する。支持フレーム１０２は並列に配設した二本の給送ローラ１０４ａを回転可能に軸支する。ロール紙１０３は二本の給送ローラ１０４ａに支持され、ロール紙１０３の有する自重により載置される。
【０００４】
このような構成により給送ローラ１０４ａを時計方向に回転させることで、ロール紙１０３は矢印Ｆ方向に給送される。また、給送ローラ１０４ａを反時計方向に回転させることにより、ロール紙１０３は矢印Ｒ方向に巻き戻される。このようなロール紙給送部では、巻戻し動作が行われる際に巻緩みが発生することがある。この巻緩みが印刷不良及び給送不良にかかる不具合を発生させる要因となる。
【０００５】
ここで巻緩みを防止する技術としては、ロール紙の側面に当接して、ロール紙の搬送速度に応じて異なる押圧力でロール紙を付勢する巻緩み防止ブロックを備えたものがある（特開２００１−３４８１４７号公報参照）（特許文献１）。特許文献１に記載の技術は、ロール紙の繰出し動作／停止時の巻緩みの防止技術である。これにより繰出し動作が停止した時でも、ロール紙の側面が付勢される。よって、ロール紙自体の慣性（イナーシャ）による回転が阻止されるので、ロール紙に巻緩みが発生しなくなる。
【０００６】
また他の技術としては、ロール紙の巻戻し動作時の巻緩み防止技術がある（特開２０１５−３８１９号公報参照）（特許文献２）。この技術ではロール紙の側面に当接するガイドローラを有し、このガイドローラの回転軸はロール紙が回転する回転軸と略直交させて配設したものである。これによりロール紙が繰出される方向に加え、巻戻す方向に動作しても巻緩みが発生しない。
【先行技術文献】
【特許文献】
【０００７】
【特許文献１】特開２００１−３４８１４７号公報
【特許文献２】特開２０１５−３８１９号公報
【発明の概要】
【発明が解決しようとする課題】
【０００８】
上記図２１に示す従来技術において、図２２に示すように支持フレーム１０２を構成する正面壁１０２ａ及び背面壁１０２ｂ間の幅（距離）Ｌは、ロール紙１０３の幅Ｗより広く設けられている。なお、図２２は従来のロール紙給送部のロール紙装填状態を示す平面図である。従って、ロール紙１０３と正面壁１０２ａ及び背面壁１０２ｂ間には隙間Ｓが生じているので、ロール紙１０３は隙間Ｓ間を自由に移動できることになる。ロール紙１０３の給送及び巻戻しが繰り返されると幅方向に幅ズレとなる。
【０００９】
図２３は従来の技術におけるロール紙給送部の不具合状態を示す断面図である。図２３のＧ部に示すようにこの幅ズレが増加すると、ロール紙１０３が正面壁１０２ａ又は背面壁１０２ｂに接触することにより給送負荷が発生し、これによりロール紙１０３の幅方向端部が折れる場合がある。その結果、発券装置が発行する乗車券において、給送不良や印刷位置ズレが発生していた。
【００１０】
本発明の解決しようとする課題は、ロール紙の給送及び巻戻しにより発生する幅ズレを防止できるロール状媒体給送装置を提供することである。
【課題を解決するための手段】
【００１１】
前記課題を解決するための請求項１記載の本発明は、ロール状に巻回されたロール状媒体と、前記ロール状媒体を保持するとともに、前記ロール状媒体の外周部分に回転駆動を与えることにより給送及び巻戻すロール状媒体保持部を備えたロール状媒体給送装置において、前記ロール状媒体の幅方向への移動を規制する幅整列ガイド部材を備え、前記幅整列ガイド部材は前記ロール状媒体の幅方向への移動に追従して移動可能としたことを特徴とするものである。
【００１２】
更に、請求項３記載の本発明は、請求項１記載の発明に加え、前記幅整列ガイド部材における前記ロール状媒体の幅方向の中央を中心にして水平方向に揺動可能としたことを特徴とするものである。
更に、請求項７記載の本発明は、請求項１記載の発明に加え、前記幅整列ガイド部材は、前記ロール状媒体の巻芯方向に平行して延在する左右腕部を有し、前記左右腕部は前記ロール状媒体の幅方向において相互に内側に向けて付勢され、前記ロール状媒体の側面に当接することを特徴とするものである。
【００１３】
更にまた、請求項１０記載の本発明は、請求項１記載の発明に加え、前記幅整列ガイド部材における前記ロール状媒体の幅方向の中央を中心にして水平方向に揺動可能とし、更に、前記幅整列ガイド部材は、前記ロール状媒体の巻芯方向に平行して延在する左右腕部を有し、前記左右腕部は前記ロール状媒体の幅方向において相互に内側に向けて付勢され、前記ロール状媒体の側面に当接することを特徴とするものである。
【発明の効果】
【００１４】
本発明によれば、ロール紙の幅方向の位置を規制する幅整列ガイド部材を設け、かつロール紙の幅方向への移動に追従して移動可能としたので、ロール紙の給送及び巻戻しにより発生する幅ズレを防止できるロール状媒体給送装置を提供することが可能となる。
また、幅整列ガイドは、幅方向への移動に加えて、水平方向に対して揺動可能な構造とすることで、ロール紙の幅方向への斜めの移動に対する追従性が可能となる。それにより、幅ズレの整列性の向上、給送負荷の低減できる。
【図面の簡単な説明】
【００１５】
【図１】第１の実施の形態に関わるロール紙給送部を示す説明図である。
【図２】第１の実施の形態に関わるロール紙給送部を示す平面図である。
【図３】第１の実施の形態に関わるロール紙給送部の幅整列ガイドを示す分解斜視図である。
【図４】第１の実施の形態に関わるロール紙給送部の幅整列ガイドを示す平面図である。
【図５】第１の実施の形態に関わるロール紙給送部の一部を省略した状態を示す平面図である。
【図６】第１の実施の形態に関わるロール紙給送部の可動ガイドを示す分解斜視図である。
【図７】第１の実施の形態に関わるロール紙給送部の位置決めガイドを示す外観図である。
【図８】第２の実施の形態に関わるロール紙給送部の幅整列ガイドを示す斜視図である。
【図９】第２の実施の形態に関わるロール紙給送部の幅整列ガイドを示す分解斜視図である。
【図１０】第２の実施の形態に関わるロール紙給送部の幅整列ガイドを示す正面図である。
【図１１】第２の実施の形態に関わるロール紙給送部の幅整列ガイドのＰＰ断面図である。
【図１２】第２の実施の形態に関わるロール紙給送部の幅整列ガイドを示す平面図である。
【図１３】第２の実施の形態に関わるロール紙給送部の幅整列ガイドのＱＱ断面図である。
【図１４】第３の実施の形態に関わるロール紙給送部を示す平面図である。
【図１５】第３の実施の形態に関わるロール紙給送部の幅整列ガイドを示す分解斜視図である。
【図１６】第４の実施の形態に関わるロール紙給送部の幅整列ガイドを示す斜視図である。
【図１７】第４の実施の形態に関わるロール紙給送部の幅整列ガイドを示す分解斜視図である。
【図１８】第４の実施の形態に関わるロール紙給送部の幅整列ガイドを示す側面図である。
【図１９】第４の実施の形態に関わるロール紙給送部の幅整列ガイドを示す正面図である。
【図２０】第４の実施の形態に関わるロール紙給送部の幅整列ガイドを示すＭＭ断面図である。
【図２１】従来のロール紙給送部を示す説明図である。
【図２２】従来のロール紙給送部のロール紙装填状態を示す平面図である。
【図２３】従来の技術におけるロール紙給送部の不具合状態を示す断面図である。
【発明を実施するための形態】
【００１６】
（第１の実施の形態）
以下、本発明の第１の実施の形態を説明する。図１は第１の実施の形態に関わるロール紙給送部を示す説明図である。図２は第１の実施の形態に関わるロール紙給送部を示す平面図である。
ロール状媒体給送装置としてのロール紙給送部１は、ロール状に巻回されたロール状媒体としてのロール紙３を印刷媒体とする図示しない発券装置に使用される。ロール紙給送部１は、ロール紙３を図示しない印刷部へ供給する。発券装置は、印刷部で印刷されたロール紙３を所定の長さに切断して、列車等の乗車券として発行する。ロール紙給送部１は発券装置と物理的かつ電気的に結合され、発券装置により駆動制御されるが、その説明は省略する。
【００１７】
ロール紙給送部１は箱型に形成された支持フレーム２の内側にロール紙３を装填する構成である。支持フレーム２は、垂直方向に起立した略正方形の正面壁２ａ及び背面壁２ｂ、更には正面壁２ａ及び背面壁２ｂを結ぶ水平方向に配した底板２ｃにより形成される。加えて、底板２ｃより垂直方向に起立して、正面壁２ａ及び背面壁２ｂを結ぶ側壁２ｄを有している。正面壁２ａは、背面壁２ｂの高さの略半分の高さである。なお、図１では正面壁２ａの一部を切り欠いて示している。
【００１８】
長尺状媒体であるロール紙３は、巻芯としてのロール芯３０の周囲に渦巻状に巻回されている。ロール紙３は巻回部分３１の円周から、接線方向となるロール紙直線部分３２へと引き出されていく。ロール紙直線部分３２の先端は前述の通り図示しない印刷部へ供給される。
【００１９】
支持フレーム２の内側に装填されたロール紙３は、ロール状媒体保持部としてのロール紙保持部４によって保持される。ロール紙保持部４は、正面壁２ａ及び背面壁２ｂ間を貫通し、正面壁２ａ及び背面壁２ｂにより回転可能に軸支されるローラシャフト４ｂを有する。ローラシャフト４ｂは支持フレーム２の下側に略並列に二本配設される。各ローラシャフト４ｂには、複数の給送ローラ４ａが設けられる。ロール紙３は複数の給送ローラ４ａの上に載置され、ロール紙３の自重により保持される。従って、二本のローラシャフト４ｂ間の中央にロール紙３の重心が位置することになる。
【００２０】
ロール状媒体保持部としてのロール紙保持部４は、図示しない給送用モータ又は動力伝達系機構によりローラシャフト４ｂが回転駆動される。これにより給送ローラ４ａがロール紙３の外周部３３に回転駆動を与えることにより、正逆回転し、自重により載置されるロール紙３が給送及び巻戻されることになる。
【００２１】
図示しない給送用モータ又は動力伝達系機構は、二本のローラシャフト４ｂの少なくとも一方又は両方を回転駆動制御する。給送ローラ４ａを時計方向に回転することにより、ロール紙３は矢印Ｆで示す給送方向に送り出される。また給送ローラ４ａを反時計方向に回転することにより、ロール紙３は矢印Ｒで示す巻取り方向に巻き戻される。なお、給送ローラ４ａの表面は高摩擦部材とすることで、巻戻し時のスリップや待機状態における震動による巻緩みを防ぐことができる。
【００２２】
本実施の形態に関する幅整列ガイド部材としての幅整列ガイド５は、ロール紙３の幅方向の移動を規制する。幅整列ガイド５は、正面壁２ａ及び背面壁２ｂ間に貫通して設けた取付シャフト６により支持フレーム２に対し僅かな距離ではあるが摺動可能に取付けられる。幅整列ガイド５は、後述するスライドローラ７により取付シャフト６の軸方向、即ちロール紙３の幅方向としての図２に示す矢印ａ方向（背面壁側）及びｂ方向（正面壁側）に摺動可能となる。
【００２３】
幅整列ガイド５は、ロール紙３の巻回部分３１におけるロール芯３０に対してロール紙３が引出される側、即ちロール紙直線部分３２側に配設される。詳述すると、幅整列ガイド５は、巻回されたロール紙３の巻回部分３１における巻戻しが始まる部分に対応するように設置される。これにより、幅整列ガイド５はロール紙３の幅方向の位置を規制することができる。
【００２４】
図２に示すように幅整列ガイド５は略コの字状しており、対面する一対の腕部５１及び５２間にロール紙３が位置づけられる。更に、ガイド部材としての可動ガイド８及び位置決めガイド９が、給送ローラ４ａの脇に配設されている。可動ガイド８及び位置決めガイド９については後述する。
【００２５】
次に、本実施の形態に関する幅整列ガイド５について説明する。図３は第１の実施の形態に関わるロール紙給送部の幅整列ガイドの分解斜視図である。図４は第１の実施の形態に関わるロール紙給送部の幅整列ガイドの平面図である。幅整列ガイド５は、ロール状に巻回したロール紙３が給送方向に整列して送り出されかつ巻取り方向にも整列して巻き戻されるように、ロール紙３の軸方向の移動を規制するものである。
【００２６】
幅整列ガイド５は前述したように略コの字状しており、略長方形からなる腕部としての右腕部５１及び左腕部５２並びに右腕部５１及び左腕部５２を所定の間隔で平行に支持する支持部５３により形成される。支持部５３はロール紙３の外周部分３３の一部に平行に配設され、右腕部５１は支持部５３における背面壁側端部からロール紙３のロール芯３０方向へ延びて設けられる。左腕部５２は支持部５３における正面壁側端部からロール紙３のロール芯３０方向へ延びて設けられる。ロール紙３は、右腕部５１及び左腕部５２の間に位置し、右腕部５１及び左腕部５２はロール紙３の側面を規制することになる。
【００２７】
支持部５３の下方は略Ｌ字状にロール芯３０方向へ起曲され、そこにスライドローラ７が水平方向に回転可能な状態で軸支される。更に、側壁２ｄの下部にはクランク状補助部４７（図１参照）の下端が固着されており、クランク状補助部４７の上端がスライドローラ７に当接する。スライドローラ７の外周面は、側壁２ｄの内面及びクランク状補助部４７の上端に挟まれ、摺動可能になる。これにより、幅整列ガイド５は矢印ａ及びｂ方向への摺動が容易となるとともに、幅整列ガイド５が取付シャフト６を中心に下方への倒れ込むことを防ぎ、かつ、取付シャフト６を中心に上方に回ることを防ぐことができる。
【００２８】
右腕部５１及び左腕部５２は略長方形からなり、右腕部５１及び左腕部５２のロール芯方向の先端部５１ａ及び５２ａの上頂角部は傾斜辺５１ｄ、５２ｄが形成される。右腕部５１及び左腕部５２における支持部５３側には取付シャフト６の摺動孔５１ｂ及び５２ｂが設けられている。摺動孔５１ｂ及び５２ｂの軸芯は一致させてあり、取付シャフト６が挿入されると、幅整列ガイド５はロール紙３の幅方向としての矢印ａ及びｂ方向に摺動可能となる。右腕部５１及び左腕部５２に取付た摺動孔５１ｂ及び５２ｂを貫通する取付シャフト６により、幅整列ガイド５はロール紙給送部１の支持フレーム２に固定される。
【００２９】
右腕部５１の内壁面５１ｃ及び左腕部５２の内壁面５２ｃ間はロール紙３の幅Ｗに対して、ロール紙３が両壁面５１ｃ、５２ｃに当接しない距離Ｗ＋αを確保してある。以上により、幅整列ガイド５は取付シャフト６に支持されつつ、ロール紙３の幅方向である矢印ａ，ｂ方向に摺動可能となる。そして、幅整列ガイド５は、ロール紙３の巻回部分３１並びに巻回部分３１とロール紙直線部分３２との接点付近におけるロール紙３の幅方向の位置を規制する。
【００３０】
前述のように発券装置は、図示しない印刷部で印刷処理が行われた後、所定長さに切断して乗車券として発券する。この時にロール紙給送部１はロール紙３の巻戻しを行う。ロール紙３は、給紙ローラ４ａにより矢印Ｒ方向に回転される毎に、幅方向へ移動することになる。幅整列ガイド５は、ロール紙３の幅方向の移動に追従して、ロール紙３の幅方向に摺動する。その後、ロール紙３は給紙ローラ４ａ上に安定位置で静止する。このようにして安定位置で静止した幅整列ガイド５は幅ズレを起こすことなく、ロール紙３を装置側に給送できる。
【００３１】
（可動ガイド８及び位置決めガイド９）
次に、ロール紙給送部１におけるロール紙３の装填時に機能するガイド部材としての可動ガイド８及び位置決めガイド９について説明する。図５は第１の実施の形態に関わるロール紙給送部１の一部を省略した状態を示す平面図である。図５においてはロール紙３及び幅整列ガイド５を省略してある。可動ガイド８及び位置決めガイド９は、給送ローラ４ａの近傍に配置され、ロール紙３の装填の際、ロール紙３の受入れ幅を規制するガイド部材、即ちロール紙３が幅方向にずれて装填されようとしてもこれを規制するガイド部材である。
【００３２】
可動ガイド８は、図１に示す通り左側の給送ローラ４ａの左上方に配設され、後述するように右可動ガイド８２及び左可動ガイド８３は、ロール紙３の幅方向としての図５に示す矢印ｃ（正面壁側）及びｄ方向（背面壁側）に摺動可能に支持される。ロール紙３が装填される前では、右可動ガイド８２の右腕部８２ａ及び左可動ガイド８３の左腕部８３ａの間は距離Ｗ−βとして、ロール紙３の幅Ｗより若干（β）狭くしてある。
一方、位置決めガイド９は、図１に示す通り右側の給送ローラ４ａの右上方に配設される。位置決めガイド９の右腕部９２及び左腕部９３の間は前述した幅整列ガイド５の間隔と同様に距離Ｗ＋αとしてある。
【００３３】
図６は第１の実施の形態に関わるロール紙給送部の可動ガイドを示す分解斜視図である。可動ガイド８は、ロール紙３の外周部分３３に近い方から順に、ガイド支持板８１、左可動ガイド８３及び右可動ガイド８２で構成される。ガイド支持板８１は可動ガイド８をロール紙給送部１の正面壁２ａ及び背面壁２ｂに固着するための部位として一対の取付部８１ａを有する。更に、一対の取付部８１ａを所定の間隔で平行に支持する支持部８１ｂ、そしてロール紙３の外周部分３３の一部に平行に対向して設けられる傾斜部８１ｃを有する。
【００３４】
この傾斜部８１ｃは給送ローラ４ａの上面に向けて斜めに低くなる形状（図６では右下がり）をしている。従って、ロール紙３の装填位置が大きく左方向にずれたとしても、ロール紙３の外周部分３３が傾斜部８１ｃ当接すると、ロール紙３を給送ローラ４ａ側に転動させる機能がある。即ち、傾斜部８１ｃはロール紙３が給送ローラ４ａ上を安定位置として必ず復帰するように案内する。従って、利用者は、装填の際にロール紙３の幅方向の移動を意識せずにロール紙３を装填できる。
傾斜部８１ｃの裏面には中心に雌ネジ加工が施された二本の段付ポスト８１ｄが固設して設けられ、右可動ガイド８２及び左可動ガイド８３を摺動可能に設ける。
【００３５】
右可動ガイド８２は、ロール紙３の幅方向としての矢印ｃ及びｄ方向へスライド可能である。右可動ガイド８２は略Ｌ字状しており、右腕部８２ａ、スライド部８２ｂ及びスプリング張架部８２ｃにより形成される。スライド部８２ｂはロール紙３の外周部分３３の一部に平行に設けられ、右腕部８２ａはスライド部８２ｂの背面壁側端部から斜め上方へ向けて延びて設けられている。右腕部８２ａはその上端部が外側に屈設されており、上方から装填されてくるロール紙３を下方に導き易くする。スライド部８２ｂは右腕部８２ａと直交する平坦面であり、正面壁側端部の所定の位置にスプリング張架部８２ｃを配設する。更にスライド部８２ｂには二個の角孔摺動部８２ｄが並設されている。
【００３６】
左可動ガイド８３も同様に、ロール紙３の幅方向としての矢印ｃ及びｄ方向へスライド可能である。左可動ガイド８３も略Ｌ字状しており、左腕部８３ａ、スライド部８３ｂ及びスプリング張架部８３ｃにより形成される。スライド部８３ｂはロール紙３の外周部分３３の一部に平行に設けられ、左腕部８３ａはスライド部８３ｂの正面壁側端部から斜め上方へ向けて延びて設けられている。左腕部８３ａはその上端部が外側に屈設されており、上方から装填されてくるロール紙３を下方に導き易くする。スライド部８３ｂは左腕部８３ａと直交する平坦面で、背面壁側端部の所定の位置にスプリング張架部８３ｃを配設する。更に、スライド部８３ｂにも二個の角孔摺動部８３ｄが並設されている。右可動ガイド８２及び左可動ガイド８３は略対称形状を成している。
【００３７】
可動ガイド８の詳細を組立順（１）〜（５）に従って説明する。なお、本可動ガイド８を構成するにあたり、スペーサ８５及びネジ８６の各二個を備える。（１）ガイド支持板８１の傾斜部８１ｃの裏面に固設した二本の段付ポスト８１ｄのそれぞれに左可動ガイド８３の角孔摺動部８３ｄを挿入する。（２）角孔摺動部８３ｄより突出した二本の段付ポスト８１ｄのそれぞれにスペーサ８５を挿入する。（３）更に、二本の段付ポスト８１ｄのそれぞれに右可動ガイド８２の角孔摺動部８２ｄを挿入する。
【００３８】
（４）角孔摺動部８２ｄより突出した二本の段付ポスト８１ｄのそれぞれに、抜け止め防止用としてネジ８６を取付け、締め上げる。段付ポスト８１ｄの段差（高さ）は右可動ガイド８２、左可動ガイド８３及びスペーサ８５の厚さ分の合計値より少し大きくしてある。従って、右可動ガイド８２及び左可動ガイド８３はそれぞれの角孔摺動部８２ｄ及び８３ｄにより摺動可能となる。（５）右可動ガイド８２及び左可動ガイド８３に設けたそれぞれのスプリング張架部８２ｃ及び８３ｃ間にスプリング８４を張架する。このスプリング８４の張力により、右可動ガイド８２及び左可動ガイド８３は互いに内側に引き寄せられる。引き寄せ時の静止位置は右腕部８２ａ及び左腕部８３ａ間の内側寸法が距離Ｗ−βとなるよう段付ポスト８１ｄ及び角孔摺動部８２ｄ、８３ｄの位置を設定する。
こうして組み立てられた可動ガイド８は、右腕部８２ａ、左腕部８３ａ及び傾斜部８１ｃによって「コ」の字状に形成され、右腕部８２ａ及び左腕部８３ａの間にロール紙３が位置付けられる。
【００３９】
図７は第１の実施の形態に関わるロール紙給送部の位置決めガイドを示す外観図である。位置決めガイド９は平行に設けられた略方形の右腕部９２及び左腕部９３並びに右腕部９２及び左腕部９３を対面状態に連結する傾斜部９１ｃを有する。傾斜部９１ｃは、ロール紙３の外周部分３３の一部に平行に対向して設けられる。傾斜部９１ｃの矢印ｃ側端部（正面壁側端部）には左腕部９３が形成され、矢印ｄ側端部（背面壁側端部）には右腕部９２が形成され、全体が「コ」の字状に形成される。位置決めガイド９の「コ」の字状の凹部、即ち右腕部９２及び左腕部９３の間にロール紙３が位置付けられる。右腕部９２及び左腕部９３の間隔は前述した通り距離Ｗ＋αとしてある。傾斜部９１ｃの下端には、支持フレーム２に固定するための底板９１ｄが設けられる。
【００４０】
傾斜部９１ｃは底板９１ｄに至る略「く」の字状としており、給送ローラ４ａに向けて斜めに低くなる形状（図示では左下がり）をしている。従って、ロール紙３の装填の際、ロール紙３の装填位置が大きく右方向にずれてロール紙３の外周部分３３が傾斜部９１ｃに当接されると、給送ローラ４ａ側へ転動させる機能がある。即ち、傾斜部９１ｃはロール紙３が給送ローラ４ａの上を安定位置として必ず装填されるように案内する。従って、利用者は、装填の際にロール紙３の幅方向の移動を意識せずにロール紙３を装填できる。右腕部９２及び左腕部９３は、それぞれ上端部が外側に屈設されており、上方から装填されてくるロール紙３を導き易くしている。
【００４１】
底板９１ｄは支持フレーム２の底板２ｃに固定するための固定用のねじ孔を有し、図示しない固定ねじで取り付ける。このとき、ねじ孔には所定量のガタを有し、位置決めガイド９は、孔ガタ量だけ前後方向（矢印ｃ、ｄ方向）への取り付け位置が微調整可能である。
【００４２】
（ロール紙の装填動作）
次に、ロール紙給送部１へのロール紙３の装填動作について説明する。利用者はロール紙３を持ち、支持フレーム２の上方より幅整列ガイド５の内壁面５１ｃ及び５２ｃとの間に挿入する。続けてロール紙３を降下させていくと、位置決めガイド９の右腕部９２及び左腕部９３の付近にロール紙３の外周部分３３が到達する。そして、右腕部９２及び左腕部９３間に導かれ、ロール紙３の幅方向の位置が決められる。同時に、可動ガイド８においては、右可動ガイド８２及び左可動ガイド８３はロール紙３により、スプリング８４の張力に抗してロール紙３の幅方向、即ち矢印ｃ、ｄ方向に押し広げられる。そして、ロール紙３は下方にある二個の給送ローラ４ａの上を安定位置として載置される。よって、利用者は、装填の際にロール紙３の幅方向の移動を意識せずにロール紙３を装填できる。
【００４３】
利用者はこの状態でロール紙３の先端を引出すことにより直線部分３２を作って、ロール紙３の先端を印刷部へ取り込ませることになる。ロール紙保持部４の図示しない駆動機構及び発券装置側の図示しない駆動機構により、ロール紙３が矢印Ｆ方向に繰出され給送が行われる。印刷部で印刷処理が行われ、所定長さに切断され発券紙として発券される。この時に巻戻しが行われる。
【００４４】
本実施の形態に関する幅整列ガイド５は、給送ローラ４ａによりロール紙３が矢印Ｒ方向に回転される毎に、ロール紙３の幅方向の移動に追従する。ロール紙３は幅方向としての矢印ａ方向又は矢印ｂ方向に摺動したのち、給送ローラ４ａ上を安定位置として静止する。このようにして安定位置で静止した幅整列ガイド５は幅ズレを起こすことなく、ロール紙３を装置側に給送できる。
【００４５】
以上説明したように、第１の実施の形態によれば、ロール紙３の巻回されている部分及びロール紙３の引出された部分におけるロール紙３の幅方向の移動を規制し、かつ幅方向の移動に追従しながら給送し、かつ巻取りができるので、給送不良の要因となる幅ズレを防ぐことができる。かつ、装填の際は、利用者はロール紙３の幅方向の移動を意識せずにロール紙３を装填できる。
【００４６】
（第２の実施の形態）
前記第１の実施の形態では、幅整列ガイド５はロール紙３の幅方向に対して移動可能とした。ここで、ロール紙３が装填された時点で、ロール紙３は上面から見てやや斜めの姿勢となる可能性がある。第２の実施の形態では、幅整列ガイド５は幅方向に対して移動可能であることに加え、幅整列ガイド５を水平方向に振れるように構成するものである。
【００４７】
図８は第２の実施の形態に関わるロール紙給送部の幅整列ガイドを示す斜視図である。幅整列ガイド部材としての幅整列ガイド１５は略コの字状であり、支持ブラケット１７、右幅整列ガイド１５１、左幅整列ガイド１５２及び支点シャフト１８から構成される。右幅整列ガイド１５１及び左幅整列ガイド１５２は略Ｌ字状とし、固定ネジ１９で両者を一体化する。なお、一体化は成型化技術を用いてもよい。幅整列ガイド１５は、ロール状に巻回したロール紙３が給送方向に整列して送り出されかつ巻取り方向にも整列して巻き戻されるように、ロール紙３の軸方向の移動を規制するものである。
【００４８】
図９は第２の実施の形態に関わるロール紙給送部の幅整列ガイドを示す分解斜視図である。幅整列ガイド１５は、ロール紙３の外周部分３３に近い方から順に、支持ブラケット１７、左幅整列ガイド１５２及び右幅整列ガイド１５１が配置される。右幅整列ガイド１５１は略Ｌ字状にしており、略長方形の右腕部１５１−１及びこれに直交して設けられた右支持部１５１−２の二面からなる。右支持部１５１−２はロール紙３の外周部分３３の一部に平行に配設され、右腕部１５１−１は右支持部１５１−２における背面壁側端部からロール紙３のロール芯３０方向へ延びて設けられる。右腕部１５１−１及び後述する左腕部１５２−１によって、ロール紙３の巻回部分３１−１の側面に当接してロール紙３の移動を規制する。
【００４９】
この右腕部１５１−１及び右支持部１５１−２の二面の角部には、支点シャフト１８が摺動する角孔摺動部１５１ｃが設けられており、支持ブラケット１７の一部が係合することになる。右支持部１５１−２の略中央には曲げ部１５１ｄが設けてある。この曲げ部１５１ｄは第１段階として右支持部１５１−２から内側に向けて略Ｌ字状に起曲されて形成され、第２段階として更に下方に向けて略Ｌ字状に起曲して把持部１５１ｅが形成される。後述するように、この把持部１５１ｅが支点シャフト１８に設けた第１の支点用突起部としての支点用突起部１８ａを把持することになる。
【００５０】
左幅整列ガイド１５２も略Ｌ字状にしており、略長方形の左腕部１５２−１及びこれに直交して設けられた左支持部１５２−２の二面からなる。左支持部１５２−２はロール紙３の外周部分３３の一部に平行に配設され、左腕部１５２−１は左支持部１５２−２における正面壁側端部からロール紙３のロール芯３０方向へ延びて右腕部１５１−１に平行に設けられる。
この左腕部１５２−１及び左支持部１５２−２の二面の角部には支点シャフト１８が摺動する角孔摺動部１５２ｃが設けられており、支持ブラケット１７の一部が係合することになる。左支持部１５２−２の略中央には逃げ孔１５２ｆが設けてある。この逃げ孔１５２ｆは先に説明した右幅整列ガイド１５１の曲げ部１５１ｄが通される。
【００５１】
左幅整列ガイド１５２の左支持部１５２−２は、前記右幅整列ガイド１５１の右支持部１５１−２より、下部が大きく形成されている。左支持部１５２−２の下部は、曲げ部１５２ｄが設けてある。曲げ部１５２ｄは第１段階として左支持部１５２−２から内側に向けて略Ｌ字状に起曲され、第２段階として更に下方に向けて起曲して把持部１５２ｅが形成される。この略Ｌ字状に起曲された曲げ部１５２ｄの中央部には四角孔１５２ｇが設けてある。四角孔１５２ｇは、後に図１３で示すように支持ブラケット１７の支点用突起部１７ｄが挿入され、その後、把持部１５２ｅ及び左支持部１５２−２により挟持される。そのため四角孔１５２ｇは、曲げ部１５２ｄから把持部１５２ｅ及び左支持部１５２−２に至るまで設けられる。
なお、右腕部１５１−１及び左腕部１５２−１の上端部はロール紙３を導き易くするために図９に示すように外側に屈設されている。
【００５２】
一方、支持ブラケット１７は、ロール紙３の幅方向に支点シャフト１８を保持する。支持ブラケット１７は、右幅整列ガイド１５１及び左幅整列ガイド１５２を支点シャフト１８により保持するとともに、ロール紙給送部１の支持フレーム２に固定する機能を有する。支持ブラケット１７は、右幅整列ガイド１５１の右支持部１５１−２及び左幅整列ガイド１５２の左支持部１５２−２を支持する支持部１７−２を有する。支持ブラケット１７は支持部１７−２の周囲に略Ｌ字状に曲げられたシャフト支持部１７ｂ、取付部１７ｃ、支点用突起部１７ｄ及び上部曲げ部１７ｅを有する。
【００５３】
シャフト支持部１７ｂは、ロール紙３の幅方向に２箇所設けられる。シャフト支持部１７ｂには支点シャフト１８が摺動する切欠きからなる丸穴固定部１７ｇ、１７ｈを設ける。このシャフト支持部１７ｂは正面壁側の丸穴固定部１７ｇ及び背面壁側の丸穴固定部１７ｈの２箇所設ける。この丸穴固定部１７ｈは、後述する支点シャフト１８の先端側の細径部が嵌入される。
【００５４】
取付部１７ｃはロール紙給送部１の支持フレーム２に固定するための部位であって、正面壁２ａ及び背面壁２ｂと密着して固定される。第２の支点用突起部としての支点用突起部１７ｄは支持部１７−２の下部の中央に略Ｌ字状に起曲されている。後述するように支点用突起部１７ｄは、一体化した右幅整列ガイド１５１及び左幅整列ガイド１５２を水平に揺動させるための中心とすることができる。
【００５５】
上部曲げ部１７ｅは装填操作時の安全性及び強度上の観点から設けられ、中央部にはＵ字状逃げ部１７ｋを有する。このＵ字状逃げ部１７ｋには右幅整列ガイド１５１の曲げ部１５１ｄが位置づけられる。
支点シャフト１８は、中央部に全周に亘って半径の大きい第１の支点用突起部としての支点用突起部１８ａが設けられている。即ち、支点用突起部１８ａの両側は半径の小さい細径部１８ｂとなる。更に、支点シャフト１８の背面壁側端部も細径部１８ｃが設けられている。
【００５６】
幅整列ガイド１５の詳細を組立順（１）〜（３）に従って説明する。
（１）右幅整列ガイド１５１の右支持部１５１−２を左幅整列ガイド１５２の左支持部１５２−２に密着させる。その際には右幅整列ガイド１５１に設けている曲げ部１５１ｄ及び把持部１５１ｅを左幅整列ガイド１５２の逃げ孔１５２ｆに通す。この時点で右幅整列ガイド１５１を左幅整列ガイド１５２に固定ネジ１９で固定する。
（２）左幅整列ガイド１５２の下部に設けた把持部１５２ｅに支持ブラケット１７の支点用突起部１７ｄを当接させる。この時には、シャフト支持部１７ｂは右腕部１５１−１及び左腕部１５２−１の内側に位置するよう設けてあるので干渉しない。
【００５７】
（３）支点シャフト１８をまず正面壁側に位置する角孔摺動部１５２ｃ、丸穴固定部１７ｇ、続けて背面壁側に位置する丸穴固定部１７ｈ及び角孔摺動部１５１ｃに嵌通させる。これにより、一体化した右幅整列ガイド１５１及び左幅整列ガイド１５２が支点シャフト１８の軸方向に摺動することができる。また、この時に支点シャフト１８の中央に設けた支点用突起部１８ａは右幅整列ガイド１５１の把持部１５１ｅ及び左幅整列ガイド１５２の左支持部１５２−２により把持される。これにより、一体化した右幅整列ガイド１５１及び左幅整列ガイド１５２が支点用突起部１８ａを中心に水平方向に揺動することができる。
【００５８】
以上により、図８に示した斜視図のように幅整列ガイド１５が組み立てられる。なお、支点シャフト１８は背面壁側端部を細径部１８ｃとしてあるので、段差により背面壁側には抜けない。正面壁側に対する抜け止めは支持フレーム２に設ける図示しない係止部により行われる。
【００５９】
図１０は第２の実施の形態に関わるロール紙給送部の幅整列ガイドを示す正面図である。図１１は第２の実施の形態に関わるロール紙給送部の幅整列ガイドのＰＰ断面図である。図１０に示す取付部１７ｃはロール紙給送部１の支持フレーム２の内側に位置付けて支持ブラケット１７を固定することにより使用可能となる。
【００６０】
支点シャフト１８は右幅整列ガイド１５１、左幅整列ガイド１５２及び支持ブラケット１７を嵌通している。左幅整列ガイド１５２の角孔摺動部１５２ｃ及び右幅整列ガイド１５１の角孔摺動部１５１ｃは、支点シャフト１８を軸方向、即ち矢印ａ及びｂ方向に摺動可能とする。これにより、幅整列ガイド１５が支持シャフト１８により軸方向に摺動可能に支持されることになる。即ち、幅整列ガイド１５は、ロール紙３の幅方向への移動に追従して移動可能となる。
【００６１】
更に、図１１に示すように、支点シャフト１８の支点用突起部１８ａが幅方向の中央に位置している。支点シャフト１８の支点用突起部１８ａは、右幅整列ガイド１５１の把持部１５１ｅ及び左幅整列ガイド１５２の左支持部１５２−２により、両側から把持されている。正面壁側において、左幅整列ガイド１５２の角孔摺動部１５２ｃは、支点シャフト１８に対して矢印Ｔ方向に摺動可能である。背面壁側においても同様に、右幅整列ガイド１５１の角孔摺動部１５１ｃは支点シャフト１８に対して矢印Ｔ方向に摺動可能である。これにより、一体化した右幅整列ガイド１５１及び左幅整列ガイド１５２は、支点シャフト１８の支点用突起部１８ａを中心として水平（矢印e及びｆ方向）に揺動することになる。
即ち、幅整列ガイド１５は、幅整列ガイド１５におけるロール紙３の幅方向の中央を中心にして水平方向に揺動可能となる。この揺動量は角孔摺動部１５２ｃの横方向の長さにより制限される。
【００６２】
図１２は第２の実施の形態に関わるロール紙給送部の幅整列ガイドを示す平面図である。図１３は第２の実施の形態に関わるロール紙給送部の幅整列ガイドのＱＱ断面図である。図１３に示すように、支点シャフト１８の中央に位置する支点用突起部１８ａは、右幅整列ガイド１５１の把持部１５１ｅ及び左幅整列ガイド１５２の左支持部１５２−２により、両側から把持されている。従って、図１２に示すように、一体化した右幅整列ガイド１５１及び左幅整列ガイド１５２は、支点シャフト１８の支点用突起部１８ａを中心として水平（矢印e及びｆ方向）に揺動する。
【００６３】
一方、図１３に示すように、支持ブラケット１７の下方に設けた支点用突起部１７ｄは、支点シャフト１８の支点用突起部１８ａと同様に、支持ブラケット１７の幅方向の中央に設けられている。更に、当該支点用突起部１７ｄは、支点シャフト１８の支点用突起部１８ａと同様に、左幅整列ガイド１５２の左支持部１５２−２及び把持部１５２ｅにより両側から把持されている。これにより、支点用突起部１７ｄは、支点シャフト１８の支点用突起部１８ａと同様に、一体化した右幅整列ガイド１５１及び左幅整列ガイド１５２を水平に揺動させるための中心とすることができる。
右幅整列ガイド１５１及び左幅整列ガイド１５２は、支点シャフト１８の支点用突起部１８ａ及び支持ブラケット１７の支点用突起部１７ｄの二つの突起を中心とすることにより、安定して水平方向としての矢印ｅ、ｆ方向に揺動可能となる。
【００６４】
以上説明したように第２の実施の形態によれば幅整列ガイド１５に、幅方向への移動に加えて、水平方向に対して揺動可能としたことで、ロール紙３の幅方向への斜めの移動に対する追従性が生じる。それにより、幅ズレの整列性の向上、給送負荷の低減という効果を奏する。
【００６５】
（第３の実施の形態）
前記第１の実施の形態及び第２の実施の形態における幅整列ガイド５及び１５は、略コの字状でその幅は固定されている。そのため、ロール紙３の装填操作性、更には製造許容幅の観点から、例えば第１の実施の形態の右腕部５１の内壁面５１ｃ及び左腕部５２の内壁面５２ｃ間は、ロール紙の幅（図４に示す符号Ｗ）に対して若干広く（Ｗ＋α）している。従って、幅整列ガイド５及びロール紙３の側面に隙間がある。この隙間に相当する量だけ巻ズレが発生し、ズレ部と幅整列ガイド５の接触による摩擦負荷が生じることが懸念される。
【００６６】
第３の実施の形態では、幅整列ガイド２５を二分割して幅寸法が可変となる構造とした。分割された各幅整列ガイド２５１及び２５２はロール紙３の巻回部分３１をそれぞれが押圧できるようにする。
第３の実施の形態におけるロール紙３の支持方法、更に給送及び巻取り方法は前述の第１の実施の形態で説明した通りである。従って、第１の実施の形態との差異である幅整列ガイド２５について説明する。
【００６７】
図１４は第３の実施の形態に関わるロール紙給送部を示す平面図である。ロール紙給送部１の幅整列ガイド部材としての幅整列ガイド２５は、右幅整列ガイド２５１及び左幅整列ガイド２５２からなる。この右幅整列ガイド２５１及び左幅整列ガイド２５２は取付シャフト４６により支持され、矢印ａ，ｂ方向に摺動可能に支持される。幅整列ガイド２５は、ロール状に巻回したロール紙３が給送方向に整列して送り出されかつ巻取り方向にも整列して巻き戻されるように、ロール紙３の軸方向の移動を規制するものである。
【００６８】
付勢手段としてのスプリング２６は取付シャフト４６に支持された右幅整列ガイド２５１を内側としての矢印ｂ方向及び左幅整列ガイド２５２を内側としての矢印ａ方向に向けて、即ち相互に内側に向けて付勢するものである。取付シャフト４６は、支持フレーム２の正面壁２ａ及び背面壁２ｂを貫通し、幅整列ガイド２５を支持フレーム２に取付けている。これにより、幅整列ガイド２５は支持フレーム２に固定される。
【００６９】
図１５は第３の実施の形態に関わるロール紙給送部の幅整列ガイドを示す分解斜視図である。幅整列ガイド２５の右幅整列ガイド２５１は略Ｌ字状しており、右腕部２５１−１及びこれに直交して設けられた右支持部２５１−２の二面により形成される。右支持部２５１−２はロール紙３の外周部分３３の一部に平行に配設され、右腕部２５１−１は右支持部２５１−２における背面壁側端部からロール紙３のロール芯３０方向へ延びて設けられる。右腕部２５１−１の形状は前述の第１の実施の形態に関する図３に示した右腕部５１の形状と略同一である。右腕部２５１−１及び後述する左腕部２５２−１によって、ロール紙３の巻回部分３１−１の側面に当接してロール紙３の移動を規制する。右腕部２５１−１は、右支持部２５１−２付近に摺動孔２５１ｃを有する。これにより、右幅整列ガイド２５１を矢印ａ及びｂ方向に摺動可能とする。
【００７０】
右支持部２５１−２には略中央に並列した二個の角孔摺動部２５１ｄ及び２５１ｅを設けてある。更に、右支持部２５１−２において、正面壁側端部寄りの位置に、ロール紙３のロール芯３０の逆方向へ向けてスタッド２５１ｆが固着されていて、スプリング２６の一端が張架されることになる。
一方、左幅整列ガイド２５２も略逆Ｌ字状しており、左腕部２５２−１及びこれに直交して設けられた左支持部２５２−２の二面より形成される。右幅整列ガイド２５１の右支持部２５１−２及び左幅整列ガイド２５２の左支持部２５２−２は重ねられ、幅整列ガイド２５は略コの字状を形成する。
【００７１】
左支持部２５２−２はロール紙３の外周部分３３の一部に平行に配設され、左腕部２５２−１は左支持部２５２−２における正面壁側端部からロール紙３のロール芯３０方向へ延びて右腕部２５１−１と平行に設けられる。左腕部２５２−１の形状は同じく前述の図３に示した左腕部５２の形状と略同一である。左腕部２５２−１は、左支持部２５２−２付近に摺動孔２５２ｃを有する。この摺動孔２５２ｃは右腕部２５１−１に設けた摺動孔２５１ｃと位置、大きさを一致し、取付シャフト４６を貫通させる。これにより、左幅整列ガイド２５２を矢印ａ及びｂ方向に摺動可能とする。
こうして、幅整列ガイド２５１が取付シャフト４６により軸方向に摺動可能に支持されることになる。即ち、幅整列ガイド２５１は、ロール紙３の幅方向への移動に追従して移動可能となる。
【００７２】
また、左支持部２５２−２には背面壁側端部寄りの位置に、ロール紙３のロール芯３０の逆方向へ向けて座付スタッド２５２ｄが固着されていて、その先端部には前述のスプリング２６の他端が張架されることになる。
左支持部２５２−２には、座付スタッド２５２ｄと並列してネジ孔２５２ｅが穿孔されている。この座付スタッド２５２ｄ及びネジ孔２５２ｅの位置関係は、右幅整列ガイド２５１側の右支持部２５１−２の二個の角孔摺動部２５１ｄ及び２５１ｅと対応させて設けてある。座付スペーサ２７は座の部分を左支持部２５２−２側に当接させ、細径の部分を角孔摺動部２５１ｅに緩嵌させる形状である。
【００７３】
左支持部２５２−２の中央下部はロール紙３のロール芯３０方向に向かって略Ｌ字状に起曲され、スライドローラ７が水平方向に回転可能な状態で軸支される。これにより、スライドローラ７の外周面は支持フレーム２の側壁２ｄの内面と摺動可能になるとともに、幅整列ガイド２５の倒れ込みを防止することができる。
【００７４】
幅整列ガイド２５の詳細を組立順（１）〜（５）に従って説明する。
（１）座付スペーサ２７を右幅整列ガイド２５１の角孔摺動部２５１ｅに嵌める。
（２）右幅整列ガイド２５１及び左幅整列ガイド２５２を近づけて、座付スタッド２５２ｄを角孔摺動部２５１ｄ−１に位置づけて嵌合させる。
（３）右幅整列ガイド２５１及び左幅整列ガイド２５２に設けた摺動孔２５１ｃ及び２５２ｃに取付シャフト４６を挿入する。
（４）ネジ２８を座付スペーサ２７に挿通させ、左幅整列ガイド２５２に設けたネジ孔２５２ｅに締め付ける。
【００７５】
（５）スタッド２５１ｆ及び座付スタッド２５２ｄ間にスプリング２６を張架する。このスプリング２６の張力により、右幅整列ガイド２５１及び左幅整列ガイド２５２は互いに内側に向けて付勢される。これにより、幅整列ガイド２５の右腕部２５１−１及び左腕部２５２−１間の幅は可変となり、ロール紙３の装填後は、右腕部２５１−１及び左腕部２５２−１が、ロール紙３の幅方向の両側面に常に当接した状態となる。これにより、幅整列ガイド２５はロール紙３の幅方向への移動に追従して移動可能となる。
【００７６】
また、右幅整列ガイド２５１及び左幅整列ガイド２５２の引き寄せ時の静止位置は、座付スタッド２５２ｄ及び角孔摺動部２５１ｄの位置で設定する。更に、ロール紙３が装填される前は、幅整列ガイド２５の右腕部２５１−１及び左腕部２５２−１間の幅はロール紙３の幅（Ｗ）より狭い（β）寸法、距離Ｗ−βになるよう設定する。
【００７７】
座付スタット２５２ｄ及び座付スペーサ２７は、右幅整列ガイド２５１の右支持部２５１−２及び左幅整列ガイド２５２の左支持部２５２−２の面接触負荷を軽減するために用いてある。よって、座付スペーサ２７は予め右支持部２５１−２に固着しておいてもよい。
以上の幅整列ガイド２５の構成、作用によりロール紙３を上方から装填する際に、ロール紙３により幅整列ガイド２５は押し広げられ、装填後は、右腕部２５１−１及び左腕部２５２−１がロール紙３の巻回部分３１の両側面に常に当接した状態となる。このため、幅ズレが発生する要因となる隙間を無くすことが可能となる。
【００７８】
以上説明したように、第３の実施の形態によれば幅整列ガイド２５の右腕部２５１−１及び左腕部２５２−１間の幅を可変とし、右腕部２５１−１及び左腕部２５２−１がロール紙３の巻回部分３１の両側面と常に当接できる構造としたことによって、幅整列ガイド２５はロール紙３の幅方向への移動に追従して移動可能となり、幅ズレを抑止できる効果を奏する。
【００７９】
（第４の実施の形態）
前記第３の実施の形態においては、幅整列ガイド２５の右腕部２５１−１及び左腕部２５２−１が常にロール紙３の巻回部分３１の両側面に面接触し、ロール紙３が軸方向に摺動できる構造である。ゆえに幅整列ガイド２５のみを押し広げるような力、特にロール紙３の装填時に右腕部２５１−１又は左腕部２５２−１の先端近傍を押し広げる力を加えてしまう場合がある。その場合に、押し広げる力の回転モーメントにより取付シャフト４６での摺動動作を妨げることが懸念される。第４の実施の形態では、幅整列ガイド２５の摺動動作時の負荷を軽減できる構造を提供する。
【００８０】
図１６は第４の実施の形態に関わるロール紙給送部の幅整列ガイドを示す斜視図である。幅整列ガイド部材としての幅整列ガイド３５は、後述するように右幅整列ガイド３５１、左幅整列ガイド３５２及び支持ブラケット３６を有する。更に、幅整列ガイド３５は、転動部材としての円筒コロ３７及び支点シャフト３８等を含む。幅整列ガイド３５は、ロール状に巻回したロール紙３が給送方向に整列して送り出されかつ巻取り方向にも整列して巻き戻されるように、ロール紙３の軸方向の移動を規制するものである。
【００８１】
後述するように、円筒コロ３７は、右幅整列ガイド３５１及び左幅整列ガイド３５２の間隔を確保するとともに、スタッド３６ａに上下方向を規制されつつ、右幅整列ガイド３５１及び左幅整列ガイド３５２を矢印ａ、ｂ方向に円滑に摺動させる機能を有する。支点シャフト３８は、幅整列ガイド３５の幅方向中央に垂直に設けたもので、幅整列ガイド３５を略水平方向に揺動（矢印ｅ、ｆ方向）可能にするものである。スプリング４０は右幅整列ガイド３５１、左幅整列ガイド３５２のそれぞれを内側に引き寄せる為に張架されるものである。
【００８２】
図１７は第４の実施の形態に関わるロール紙給送部の幅整列ガイドを示す分解斜視図である。幅整列ガイド３５は、ロール紙３の外周部分３３に近い方から順に、支持ブラケット３６、左幅整列ガイド３５２及び右幅整列ガイド３５１が配置される。
最初に右幅整列ガイド３５１について説明する。右幅整列ガイド３５１は略Ｌ字状を形成しており、右腕部３５１−１及びこれに直交して設けられた右支持部３５１−２の二面より形成される。右支持部３５１−２はロール紙３の外周部分３３の一部に平行に配設され、右腕部３５１−１は右支持部３５１−２における背面壁側端部からロール紙３のロール芯３０方向へ延びて設けられる。右腕部３５１−１の上部は、ロール紙３を受け入れるために斜め背面壁側に折り曲げられており、右腕部３５１−１の正面壁側がロール紙３の巻回部分３１の側面に当接する面となる。右腕部３５１−１及び後述する左腕部３５２−１によって、ロール紙３の巻回部分３１−１の側面に当接してロール紙３の移動を規制する。
【００８３】
右腕部３５１−１と直交する方向に曲げられた右支持部３５１−２には、曲げを有する部位として曲げ部Ｂ１、曲げ部Ｂ２及びスプリング張架部３５１ｃを有する。曲げ部Ｂ１は右腕部３５１−１と右支持部３５１−２の曲げ個所より右腕部３５１−１側にずれて略Ｌ字状に起曲される。この曲げ部Ｂ１は、円筒コロ３７が緩嵌された時に閂構造を形成するための掛止面となる。曲げ部Ｂ２は右支持部３５１−２において正面壁側端部に上方から三分割した曲げ部Ｂ２−１、Ｂ２−２、Ｂ２−３である。中央部の曲げ部Ｂ２−２は第１段階として右支持部３５１−２から内側（ロール紙３のロール芯３０方向）に向けて略Ｌ字状に曲げられ、第２段階として更に外側（正面壁側）に向けて曲げられている。この第２段階の曲げ面は、円筒コロ３７が緩嵌された時に閂構造を形成するための掛止面となる。
【００８４】
中央部の曲げ部Ｂ２−２を挟んで上下に設ける２ヶ所の曲げ部Ｂ２−１、Ｂ２−３は、内側（ロール紙３のロール芯３０方向）に向けて略Ｌ字状に曲げられている。この際の曲げ部により、前述の中央部の曲げ部Ｂ２−２から円筒コロ３７が緩嵌でき、かつ所定の隙間（横ガタ付き）を確保する。
スプリング張架部３５１ｃはスプリング４０の一端を張架するための部位である。右支持部３５１−２には、角孔摺動部３５１ｄ及び３５１ｅが並列して二個設けてある。さらに角孔摺動部３５１ｄ及び３５１ｅの略中間には逃げ孔３５１ｆが設けられる。
【００８５】
次に、左幅整列ガイド３５２について説明する。左幅整列ガイド３５２も略Ｌ字状に形成しており、左腕部３５２−１及びこれに直交して設けられた左支持部３５２−２の二面より形成される。左支持部３５２−２はロール紙３の外周部分３３の一部に平行に配設され、左腕部３５２−１は左支持部３５２−２における正面壁側端部からロール紙３のロール芯３０方向へ延びて右腕部３５１−１に平行に設けられる。
【００８６】
左腕部３５２−１の上部は、ロール紙３を受け入れるために斜め正面壁側に折り曲げられており、左腕部３５２−１の背面壁側の面がロール紙３の側面に当接することになる。左腕部３５２−１と直交する方向に曲げられた左支持部３５２−２には、曲げを設ける部位として曲げ部Ｂ３、曲げ部Ｂ４そしてスプリング張架部３５２ｃがある。
【００８７】
曲げ部Ｂ３は、左支持部３５２−２における背面壁側端部に上方から三分割して設けられた曲げ部Ｂ３−１、Ｂ３−２、Ｂ３−３である。中央部の曲げ部Ｂ３−２は、第１段階として左支持部３５２−２から外側（ロール紙３のロール芯３０方向の反対方向）に略Ｌ字状に曲げられ、第２段階として更に背面壁側に向けて略Ｌ字状に曲げられている。この第２段階の曲げ部Ｂ３−２の長さは、円筒コロ３７が緩嵌できる寸法である。
【００８８】
中央部の曲げ部Ｂ３−２を挟んで上下に設ける曲げ部Ｂ３−１及びＢ３−３は外側（ロール紙３のロール芯３０方向の反対方向）に向けて略Ｌ字状に曲げられている。この曲げ部Ｂ３−１及びＢ３−３により、前述の中央部の曲げ部Ｂ３−２の第１段階の曲げ面から円筒コロ３７が緩嵌でき、かつ所定の隙間（横ガタ付き）を確保する。曲げ部Ｂ３は前記右幅整列ガイド３５１の曲げ部Ｂ１と互い違いに組み合わされることにより間に空間を作る。
【００８９】
曲げ部Ｂ４は左腕部３５２−１及び左支持部３５２−２の曲げ個所付近の位置で略Ｌ字状に起曲される。この際の曲げ部Ｂ４の高さは、円筒コロ３７が緩嵌できる寸法である。曲げ部Ｂ４は、前記右幅整列ガイド３５１の曲げ部Ｂ２と互い違いの状態に組み合わされることにより間に空間を作る。
スプリング張架部３５２ｃはスプリング４０の他端を張架するための部位である。左支持部３５２−２には、角孔摺動部３５２ｄ及び３５２ｅが並列して二個設けてある。更に、角孔摺動部３５２ｄ及び３５２ｅの略中間には逃げ孔３５２ｆが設けられている。左幅整列ガイド３５２の外観は図示からも理解できるように曲げ部Ｂ３、Ｂ４の方向を除けば先に説明した右幅整列ガイド３５１と左右対称である。
【００９０】
支持ブラケット３６は、支点シャフト３８により右幅整列ガイド３５１及び左幅整列ガイド３５２を保持し、支持フレーム２に固定する機能を有する。そのため支持ブラケット３６は、右幅整列ガイド３５１の右支持部３５１−２及び左幅整列ガイド３５２の左支持部３５２−２を支持する支持部３６−２を有する。支持ブラケット３６は、ロール紙３の外周部分３３の一部に平行に配設された支持部３６−２、支持部３６−２の周囲に略Ｌ字状に曲げられた一対の取付部３６ｃ、上下二個のシャフト支持部３６ｄ及び上部曲げ部３６ｅがある。また、上部曲げ部３６ｅの下方には二個のスタッド３６ａがロール紙３のロール芯３０方向の反対方向に固着されている。
【００９１】
取付部３６ｃは支持フレーム２に固定するための部位であって、正面壁２ａ及び背面壁２ｂに密着して固定される。上下に設けられた２個のシャフト支持部３６ｄには垂直方向に所定距離だけ離れて設けられ、それぞれに嵌合孔３６１、３６２を穿孔する。このシャフト支持部３６ｄは互いに対面するとともに、嵌合孔３６１、３６２の中心軸は一致させてある。下方に設けたシャフト支持部３６ｄの直下にはネジ孔３６３が設けられている。
二本の円筒コロ３７は上端に太径部３７ａを有する長尺なシャフトである。円筒コロ３７は、右幅整列ガイド３５１及び左幅整列ガイド３５２を連結するためのいわゆる閂となる。円筒コロ３７の円周は摺動面となるため、摩擦負荷を低減するため良好な仕上げ面を有する。
支点シャフト３８も下端に太径部３８ａを有する長尺なシャフトである。支点シャフト３８は、幅整列ガイド３５を略水平方向としての矢印ｅ及びｆ方向（図１６参照）に揺動するための支点となる。
【００９２】
幅整列ガイド３５の詳細を組立順（１）〜（５）に従って説明する。
（１）右幅整列ガイド３５１を左幅整列ガイド３５２に重ね合わせる。具体的には、まず右幅整列ガイド３５１に設けた曲げ部Ｂ２及び左幅整列ガイド３５２に設けてある曲げ部Ｂ４を互い違いに組み合わせことにより間に空間を作る。同様に右幅整列ガイド３５１に設けた曲げ部Ｂ１及び左幅整列ガイド３５２に設けてある曲げ部Ｂ３を互い違いに組み合わせるにより間に空間を作る。
【００９３】
（２）一方の円筒コロ３７を上方より右幅整列ガイド３５１及び左幅整列ガイド３５２の間に挿入する。この際には、一方の円筒コロ３７を曲げ部Ｂ２及び曲げ部Ｂ４により形成される空間に挿入する。同様に、他方の円筒コロ３７を、曲げ部Ｂ１及び曲げ部Ｂ３より形成される空間に挿入する。この円筒コロ３７を二個挿入した時点で、右幅整列ガイド３５１及び左幅整列ガイド３５２は一体として分離できない閂構造となる。円筒コロ３７の抜け止めとしては、下方への抜け防止は円筒コロ３７の上部に設けた太径部３７ａが作用し、上方への抜け防止は支持ブラケット３６に設けた上部曲げ部３６ｅが作用する。
【００９４】
（３）支持ブラケット３６に固着したスタッド３６ａを右幅整列ガイド３５１及び左幅整列ガイド３５２に設けた角孔摺動部３５１ｄ、３５１ｅ、３５２ｄ及び３５２ｅに嵌入する。同時にシャフト支持部３６ｄを右幅整列ガイド３５１及び左幅整列ガイド３５２に設けた逃げ孔３５１ｆ及び３５２ｆに挿入する。
（４）下方から支点シャフト３８を嵌合孔３６１及び３６２に嵌通する。一体とした右幅整列ガイド３５１及び左幅整列ガイド３５２に対し、更に、支持ブラケット３６を一体化することができる。そして、ネジ３９を取り付ける。なお、ネジ３９は支点シャフト３８の抜け落ち防止のため、ネジ頭部が支点シャフト近接とすることになる。
【００９５】
（５）右幅整列ガイド３５１及び左幅整列ガイド３５２に設けたそれぞれのスプリング張架部３５１ｃ及び３５２ｃ間にスプリング４０の両端を張架する。このスプリング４０の張力により、右幅整列ガイド３５１及び左幅整列ガイド３５２は互いに内側に向けて引き寄せられる。これにより、右幅整列ガイド３５１の右腕部３５１−１及び左幅整列ガイド３５２の左腕部３５２−１間の幅は可変となり、ロール紙３の装填後は、右腕部３５１−１及び左腕部３５２−１が、ロール紙３の幅方向の両側面に常に当接した状態となる。
【００９６】
図１８は第４の実施の形態に関わるロール紙給送部の幅整列ガイドを示す側面図である。右幅整列ガイド３５１及び左幅整列ガイド３５２は幅方向に摺動可能に一体化され、円筒コロ３７は、右幅整列ガイド３５１の曲げ部Ｂ１及びＢ２並びに左幅整列ガイド３５２の曲げ部Ｂ３及びＢ４が互い違いに組み合わせたことにより作成した空間に差し込まれているので、これが閂構造となって分離できなくなる。更に、それぞれの右幅整列ガイド３５１及び左幅整列ガイド３５２はスプリング４０により幅方向に互いに引き寄せられる。更に、支持ブラケット３６に固定されたスタッド３６ａにより、それぞれが角孔摺動部３５２ｄ及び３５１ｄで摺動可能な状態で支持されている。
【００９７】
支持ブラケット３６の中央で固定された支点シャフト３８が右幅整列ガイド３５１及び左幅整列ガイド３５２のスライド面の間を貫通しているため倒れ込むことはない。以上により右幅整列ガイド３５１及び左幅整列ガイド３５２が、矢印ａ、ｂ方向へ移動すること及び図１６に示す矢印ｅ、ｆ方向に揺動することが可能となる。
【００９８】
図１９は第４の実施の形態に関わるロール紙給送部の幅整列ガイドを示す正面図である。幅整列ガイド３５は支持ブラケット３６により支持される。幅整列ガイド３５は円筒コロ３７が挿入されている。この円筒コロ３７は支持ブラケット１７の上部曲げ部３６ｅにより抜けることはない。
【００９９】
図２０は第４の実施の形態に関わるロール紙給送部の幅整列ガイドのＭＭ断面図である。図１９に示すＭＭ断面矢視を図示しており、曲げ部Ｂ１、Ｂ２、Ｂ３、及びＢ４近傍の断面を示す。図示すように曲げ部Ｂ１、Ｂ２、Ｂ３、及びＢ４並びに円筒コロ３７により閂構造に形成された幅整列ガイド３５は、支点シャフト３８を中心に矢印ｅ、ｆ方向に揺動可能となる。即ち、右幅整列ガイド３５１及び左幅整列ガイド３５２が垂直に設けた円筒コロ３７を介してロール紙３の幅方向の中央の支点シャフト３８を中心にして水平方向に揺動可能となる。これにより、幅整列ガイド３５はロール紙３の水平方向の移動に追従して移動可能となる。
【０１００】
また、曲げ部Ｂ１、Ｂ２、Ｂ３、及びＢ４は円筒コロ３７を取り囲むが、角孔摺動部３５１ｄ及び３５２ｄ方向に隙間を確保することで、矢印ａ、ｂ方向にガタツキが生じる。これにより、幅整列ガイド３５はロール紙３の幅方向への移動に追従して移動可能となる。
更に、スプリング４０の張力に抗して、右幅整列ガイド３５１は矢印ｇ方向に、左幅整列ガイド３５２は矢印ｈ方向に単独で摺動可能となる。即ち、幅整列ガイド３５は、ロール紙３の巻芯３０方向に平行して延在する右腕部３５１−１及び左腕部３５２−１を有し、右腕部３５１−１及び左腕部３５２−１はロール紙３の幅方向において相互に内側に向けて付勢され、ロール紙３の側面に当接することができる。
【０１０１】
一方、ロール紙３により右幅整列ガイド３５１及び左幅整列ガイド３５２の一方又は両方が押し広げられると、右支持部３５１−２、３５２−２に挟まれた円筒コロ３７が転動することで、右幅整列ガイド３５１及び左幅整列ガイド３５２が互いにスライドする際の負荷が軽減される。
【０１０２】
幅整列ガイド３５が幅間隔を変えつつ、挟み込まれたロール紙３が矢印ａ、ｂ方向に移動すれば、角孔摺動部３５１ｄ、３５２ｄの大きさ範囲内でロール紙３と一緒に移動する。更に、ロール紙３が斜めになれば、支点シャフト３８を回転中心として幅整列ガイド３５はロール紙３の姿勢に合わせて水平方向としての矢印e、ｆ方向へ揺動することが可能となる。即ち、本実施の形態の幅整列ガイド３５はロール紙３の種々の方向への移動に追従することが可能となる。
【０１０３】
以上説明したように第４の実施の形態によれば、幅整列ガイド３５の略コの字状を形成する二部品、即ち、右幅整列ガイド３５１及び左幅整列ガイド３５２がスライドする面の間に転動部材としての円筒コロ３７を介在させたので、腕部３５１−１、３５２−１の先端のみを押し広げる力が作用する場合でも、摺動負荷を抑えることが可能となる。これにより、スプリングによる押圧力を小さくすることができる。つまり、給送負荷となるロール紙３の側面を押圧する力を抑えることが可能となる。
幅整列ガイド３５は、ロール紙給送部１の支持フレーム２のどの位置に設けても所定の効果を得られ、設ける個所を複数ヶ所にすれば、整列効果がより向上する。
【０１０４】
第１乃至第４の実施の形態における幅整列ガイドについて、ロール紙３の移動を規制すること及びロール紙３の移動に追従することの関係については、例えばロール紙３が比較的少ない揺れの場合にその移動に追従し、逆に、比較的激しい揺れの場合にその移動を規制するものと考えてよい。
【０１０５】
第１乃至第４の実施の形態におけるロール紙は、列車の乗車券等を発行する発券装置として説明したが、これに限定されない。例えば、現金自動預け払い機（ＡＴＭ）の取引レシート、大束紙幣の施封用のテープ、航空機搭乗の際に利用する手荷物タグ、更には幅広の媒体としてファクシミリ用出力紙などを扱う装置において流用可能である。
【符号の説明】
【０１０６】
１                    ロール紙給送部
２                    支持フレーム
３                    ロール紙
４                    ロール紙保持部
４ａ                  給送ローラ
５、１５、２５、３５  幅整列ガイド
６、４６、            取付シャフト
１８、３８            支点シャフト
５１、１５１−１、２５１−１、３５１−１  右腕部
５２、１５２−１、２５２−１、３５２−１  左腕部
５３                  支持部
１７、３６            支持ブラケット
【図１】
2017218285.tif 000003
【図２】
2017218285.tif 000004
【図３】
2017218285.tif 000005
【図４】
2017218285.tif 000006
【図５】
2017218285.tif 000007
【図６】
2017218285.tif 000008
【図７】
2017218285.tif 000009
【図８】
2017218285.tif 000010
【図９】
2017218285.tif 000011
【図１０】
2017218285.tif 000012
【図１１】
2017218285.tif 000013
【図１２】
2017218285.tif 000014
【図１３】
2017218285.tif 000015
【図１４】
2017218285.tif 000016
【図１５】
2017218285.tif 000017
【図１６】
2017218285.tif 000018
【図１７】
2017218285.tif 000019
【図１８】
2017218285.tif 000020
【図１９】
2017218285.tif 000021
【図２０】
2017218285.tif 000022
【図２１】
2017218285.tif 000023
【図２２】
2017218285.tif 000024
【図２３】
2017218285.tif 000025